(57)【要約】【課題】電気掃除機の集塵性能の低下を抑制できるとともに、メンテナンス性を向上できる電気掃除機用の集塵袋、および電気掃除機を提供する。【解決手段】集塵袋１１は、口枠部２７と、口枠部２７に一体的に設けられた袋体部２８とを備える。袋体部２８は、袋状に形成された通気性素材を複数重ねて構成される。最外袋体３８は、袋体部２８の最も外側に配置され、その全面に亘って略均一な通気性を有する。内袋体３９は、最外袋体３８の内側に配置される。内袋体３９の遠方部３９ｂの通気性は、最外袋体３８の通気性と比べて、より大きい通気性を有する。内袋体３９の近傍部３９ａの通気性は、遠方部３９ｂの通気性と比べて、より大きい通気性を有する。【選択図】  図３
2010082136.tif 000002
【特許請求の範囲】
【請求項１】
含塵空気が導入される開口を有する口枠部と、
前記口枠部に取り付けられ、袋状の通気性素材を２つ重ねて形成され、前記開口から導入された塵埃を捕集する袋体部とを備え、
前記袋体部は、
最も外側に配置され、略均一な通気性を有する最外袋体と、
前記最外袋体の内側に配置されるとともに、前記口枠部に近い近傍部と、前記口枠部から遠い遠方部とが異なる通気性を有し、前記遠方部の通気性は、前記最外袋体の通気性よりも大きく、前記近傍部の通気性は、前記遠方部の通気性よりも大きい内袋体とから構成されたことを特徴とする電気掃除機の集塵袋。
【請求項２】
含塵空気が導入される開口を有する口枠部と、
前記口枠部に取り付けられ、袋状の通気性素材を複数重ねて形成され、前記開口から導入された塵埃を捕集する袋体部とを備え、
前記袋体部は、
最も外側に配置され、略均一な通気性を有する最外袋体と、
前記最外袋体の内側に配置されるとともに、前記口枠部に近い近傍部と、前記口枠部から遠い遠方部とが異なる通気性を有する複数の内袋体とから構成され、
前記複数の内袋体のそれぞれの前記遠方部の通気性は、前記最外袋体の通気性および外側に配置された前記遠方部の通気性よりも大きく、
前記複数の内袋体のそれぞれの前記近傍部の通気性は、同じ前記内袋体の前記遠方部の通気性よりも大きく、かつ外側に配置された前記近傍部の通気性よりも大きいことを特徴とする電気掃除機の集塵袋。
【請求項３】
掃除機本体と、
前記掃除機本体の集塵室に請求項１または２に記載の集塵袋とを備えたことを特徴とする電気掃除機。
【発明の詳細な説明】
【技術分野】
【０００１】
本発明は、掃除機本体と、掃除機本体に着脱自在に収容された集塵袋とを備えた電気掃除機に関する。
【背景技術】
【０００２】
従来から、掃除機本体に着脱自在に収容された集塵袋を備えた電気掃除機が知られる。
【０００３】
従来の電気掃除機の集塵袋は、掃除機本体に吸い込まれた含塵空気を導入する開口を有する口枠部と、開口から導入された含塵空気のうち塵埃を捕集するとともに、空気が通過する通気性素材で形成された袋体部とを備える。
【０００４】
袋体部は、例えば不織布などの通気性素材を複数層、例えば２層に重ね合わせて構成される。内側の袋体は、単位面積当たりの質量、すなわち目付量が少なく、通気性が大きい通気性素材で形成される。他方、外側の袋体は、強度を高く確保しつつ、内側の袋体を通過した塵埃を捕集するため目付量が多く、内側の袋体より通気性が小さい通気性素材で形成される（例えば、特許文献１参照。）。
【特許文献１】特開２００６−６１５８２号公報
【発明の開示】
【発明が解決しようとする課題】
【０００５】
従来の電気掃除機の集塵袋は、袋体部を構成する通気性素材の内面に細塵が付着すると、通気性素材が目詰まりして、集塵袋に塵埃が殆ど入っていないのに電気掃除機の吸引力が低下してしまうという問題点があった。
【０００６】
集塵袋が容易に目詰まりして電気掃除機の吸引力が低下すると、電気掃除機の集塵性能が著しく低下するとともに、集塵袋を頻繁に交換しなければならず、電気掃除機の保守性が低下する。
【０００７】
本発明は、電気掃除機の集塵性能の低下を抑制できるとともに、メンテナンス性を向上できる電気掃除機用の集塵袋、および電気掃除機を提供することを目的とする。
【課題を解決するための手段】
【０００８】
前記の課題を解決するため本発明では、含塵空気が導入される開口を有する口枠部と、前記口枠部に取り付けられ、袋状の通気性素材を２つ重ねて形成され、前記開口から導入された塵埃を捕集する袋体部とを備え、前記袋体部は、最も外側に配置され、略均一な通気性を有する最外袋体と、前記最外袋体の内側に配置されるとともに、前記口枠部に近い近傍部と、前記口枠部から遠い遠方部とが異なる通気性を有し、前記遠方部は、前記最外袋体よりも通気性が大きく、前記近傍部は、前記遠方部よりも通気性が大きい内袋体とから構成されたことを特徴とする。
【０００９】
また、本発明では、含塵空気が導入される開口を有する口枠部と、前記口枠部に取り付けられ、袋状の通気性素材を複数重ねて形成され、前記開口から導入された塵埃を捕集する袋体部とを備え、前記袋体部は、最も外側に配置され、略均一な通気性を有する最外袋体と、前記最外袋体の内側に配置されるとともに、前記口枠部に近い近傍部と、前記口枠部から遠い遠方部とが異なる通気性を有する複数の内袋体とから構成され、前記複数の内袋体のそれぞれの前記遠方部の通気性は、前記最外袋体の通気性および外側に配置された前記遠方部の通気性よりも大きく、前記複数の内袋体のそれぞれの前記近傍部の通気性は、同じ前記内袋体の前記遠方部の通気性よりも大きく、かつ外側に配置された前記近傍部の通気性よりも大きいことを特徴とする。
【発明の効果】
【００１０】
本発明によれば、電気掃除機の集塵性能の低下を抑制できるとともに、メンテナンス性を向上できる電気掃除機用の集塵袋、および電気掃除機を提供できる。
【発明を実施するための最良の形態】
【００１１】
本発明に係る電気掃除機用の集塵袋、および電気掃除機の実施形態について、図１から図７を参照して説明する。
【００１２】
図１は、本発明に係る電気掃除機の外観を示した斜視図である。
【００１３】
図１に示すように、本実施形態に係る電気掃除機１は、掃除機本体２と、集塵ホース３と、手元操作管４と、握部５と、操作部６と、延長管７と、吸込口体８とを備える。
【００１４】
掃除機本体２には接続口２ａが形成される。掃除機本体２の内部には、接続口２ａに連通された集塵室１０が形成される。また、掃除機本体２の内部には集塵袋１１と、電動送風機１３とが収容される。掃除機本体２の後部には、電動送風機１３の排気を吐出させる本体排気口（図示省略）が形成される。集塵室１０は、電動送風機１３に連通される。集塵袋１１は、接続口２ａに連通されるとともに、集塵室１０に着脱自在に収容される。掃除機本体２は、電源コード１４を備える。電源コード１４の自由端部には、電源プラグ１５が形成される。
【００１５】
集塵ホース３は可撓性を有し、湾曲可能な細長略円筒状に形成される。集塵ホース３の一端は接続口２ａに着脱自在に接続されて、掃除機本体２の内部に連通される。
【００１６】
手元操作管４の一端は集塵ホース３の他端に設けられ、集塵ホース３を介して掃除機本体２の内部に連通される。
【００１７】
握部５は電気掃除機１の使用者が把持して電気掃除機１を操作するものである。
【００１８】
操作部６は握部５に設けられる。操作部６が電気掃除機１の使用者に操作されると、電気掃除機１は複数の駆動モードに設定される。
【００１９】
延長管７は、伸縮可能な細長略円筒状に形成される。延長管７の一端は手元操作管４の他端に着脱自在に接続されて、手元操作管４および集塵ホース３を介して掃除機本体２の内部に連通される。
【００２０】
吸込口体８は、延長管７の一端に着脱自在に接続されて延長管７、手元操作管４および集塵ホース３を介して掃除機本体２の内部に連通される。吸込口体８は、床などの被掃除面に配置される。吸込口体８は握部５から加えられた駆動力によって被掃除面を走行する。
【００２１】
電気掃除機１を運転すると、電動送風機１３が作動して、掃除機本体２の内に負圧が作用する。この負圧は接続口２ａから集塵ホース３と手元操作管４と延長管７とを経て吸込口体８に作用する。そうすると、電気掃除機１は吸込口体８から空気とともに床などの被掃除面に溜まった塵埃を吸い込んで被掃除面を掃除する。吸込口体８に吸い込まれた含塵空気は、掃除機本体２に収容された集塵袋１１によって空気と塵埃とに分離される。分離された塵埃は集塵袋１１に捕集される。他方、分離された空気は、電動送風機１３に吸い込まれて、掃除機本体２の本体排気口から吐出される。
【００２２】
図２は、本発明に係る電気掃除機の掃除機本体を示した縦断面である。
【００２３】
ここで、掃除機本体２の前進方向（図２中、実線矢Ｘ）を前方、その反対方向を後方とする。また、掃除機本体２の後から前を見たときに左側（図２中、実線矢Ｙ）を左方、その反対方向を右方とする。さらに、掃除機本体２の前後方向および左右方向に直交する右手座標系の＋Ｚ方向を上方とし、その反対方向を下方とする。
【００２４】
図２に示すように、電気掃除機１の掃除機本体２は、前方下部中央に設けられた前輪１７と、後方下部の両側に設けられた一対の後輪１８とを有する。前輪１７は、掃除機本体２の上下方向に回転軸芯を有する回動軸１９回りに回動自在な支持アーム２０に設けられる。
【００２５】
掃除機本体２の後部には、電動送風機１３が収容される。掃除機本体２の前部には、集塵袋１１が収容された集塵室１０が形成される。電動送風機１３が収容された空間と、集塵室１０との間は、第二フィルタ装置２２が支持された仕切板２３によって区画される。
【００２６】
掃除機本体２の前方上部には、開閉自在な蓋ケース２４が設けられる。蓋ケース２４を開くと集塵室１０から集塵袋１１を取り出せる。
【００２７】
集塵袋１１は、開口２７ａを有する口枠部２７と、口枠部２７に取り付けられ、通気性を有する袋体部２８とを備える。集塵袋１１は、口枠部２７の平坦面を集塵室１０の前壁３０に向けて配置される。
【００２８】
集塵室１０の前壁３０には、集塵袋１１の口枠部２７を着脱自在に固定するクランプ３１が設けられる。
【００２９】
掃除機本体２の前端部には、接続口２ａを有する接続管３２が設けられ、集塵ホース３の端部に設けられた連結管部３５が挿抜自在に挿入される。接続管３２は、集塵袋１１の開口２７ａに気密に連通される。連結管部３５の先端は、集塵室１０の内部に突出し、さらに集塵袋１１の開口２７ａに差込まれ、袋体部２８の内部を臨む。
【００３０】
電動送風機１３の作動によって集塵室１０に負圧が作用すると、集塵袋１１の袋体部２８と、口枠部２７の開口２７ａとを経て集塵ホース３に負圧が作用する。これによって吸込口体８から吸い込まれた含塵空気は、集塵袋１１内に導入される。
【００３１】
図３は、本発明に係る集塵袋を概略的に示した断面図である。
【００３２】
図３に示すように、集塵袋１１は、例えば使い捨てのもので、いわゆる紙パックである。集塵袋１１は、掃除機本体２への被取付部としての口枠部２７と、口枠部２７に一体的に設けられた袋体部２８とを備える。
【００３３】
口枠部２７は、集塵袋１１を掃除機本体２の集塵室１０に取り付ける際に、集塵室１０に設けられたクランプ３１に嵌着固定される。口枠部２７は、例えばボール紙などの厚紙を用いて方形状に形成される。口枠部２７の略中央部には、丸孔状の開口２７ａが穿設される。
【００３４】
袋体部２８は、袋状に形成された通気性素材を複数重ねて構成される。具体的には、袋体部２８は、最も外側に配置された最外袋体３８と、最外袋体３８の内側に配置された内袋体３９とから構成される。最外袋体３８と内袋体３９との間は離間されて、適宜の隙間Ｓを有する。
【００３５】
最外袋体３８は、袋体部２８の最も外側に配置され、その全面に亘って略均一な通気性を有する。最外袋体３８を構成する通気性素材は、例えばパルプと合成繊維とで形成された不織布である。
【００３６】
内袋体３９は、最外袋体３８の内側に配置される。また、内袋体３９は、口枠部２７に近い近傍部３９ａ（帯状部）と、口枠部２７から遠い遠方部３９ｂ（冠状部）とが互いに異なる通気性を有する。遠方部３９ｂの通気性は、最外袋体３８の通気性と比べて、より大きい通気性を有する。近傍部３９ａの通気性は、遠方部３９ｂの通気性と比べて、より大きい通気性を有する。内袋体３９の全面の通気性は、最外袋体３８の通気性と比べて、より大きい通気性を有する。遠方部３９ｂを構成する通気性素材は、例えばパルプと合成繊維とで形成された不織布である。近傍部３９ａを構成する通気性素材は、例えば網状の織布である。
【００３７】
すなわち、最外袋体３８の通気性Ｐａと、内袋体３９の遠方部３９ｂの通気性Ｐｂと、内袋体３９の近傍部３９ａの通気性Ｐｃとの相互の関係は、「通気性Ｐｃ＞通気性Ｐｂ＞通気性Ｐａ」として構成される。したがって、袋体部２８は、外側から内側に向かうにつれて通気性が順次に高くなるとともに、口枠部２７から遠い側よりも近い側の方が通気性が高くなる。
【００３８】
図４は、本発明に係る集塵袋の他の例を概略的に示した断面図である。
【００３９】
図４に示すように、集塵袋１１Ａの袋体部２８Ａは、袋状に形成された通気性素材を複数重ねて構成される。具体的には、袋体部２８Ａは、最も外側に配置された最外袋体３８と、最外袋体３８の内側に配置された第一内袋体４０と、第一内袋体４０の内側に配置された第二内袋体４１とから構成される。最外袋体３８と第一内袋体４０との間、および第一内袋体４０と第二内袋体４１との間は、それぞれ離間されて、適宜の隙間Ｓ１、Ｓ２を有する。なお、袋体部２８Ａは、袋状の通気性素材を複数、例えば４重以上に重ねて形成しても良い。
【００４０】
第一内袋体４０は、最外袋体３８の内側に配置される。また、第一内袋体４０は、口枠部２７に近い近傍部４０ａと、口枠部２７から遠い遠方部４０ｂとが互いに異なる通気性を有する。
【００４１】
第二内袋体４１は、第一内袋体４０の内側に配置される。また、第二内袋体４１は、口枠部２７に近い近傍部４１ａと、口枠部２７から遠い遠方部４１ｂとが互いに異なる通気性を有する。
【００４２】
第一内袋体４０の遠方部４０ｂの通気性は、最外袋体３８の通気性と比べて、より大きい通気性を有する。第一内袋体４０の近傍部４０ａの通気性は、遠方部４０ｂの通気性と比べて、より大きい通気性を有する。遠方部４０ｂを構成する通気性素材は、例えばパルプと合成繊維とで形成された不織布である。近傍部４０ａを構成する通気性素材は、例えば網状の織布である。
【００４３】
第二内袋体４１の遠方部４１ｂの通気性は、第一内袋体４０の遠方部４０ｂの通気性と比べて、より大きい通気性を有する。第二内袋体４１の近傍部４１ａの通気性は、遠方部４１ｂの通気性と比べて、より大きい通気性を有し、かつ第一内袋体４０の近傍部４０ａの通気性と比べて、より大きい通気性を有する。遠方部４１ｂを構成する通気性素材は、例えばパルプと合成繊維とで形成された不織布である。近傍部４１ａを構成する通気性素材は、例えば網状の織布である。
【００４４】
すなわち、最外袋体３８の通気性Ｐ１と、第一内袋体４０の遠方部４０ｂの通気性Ｐ２と、第一内袋体４０の近傍部４０ａの通気性Ｐ３と、第二内袋体４１の遠方部４１ｂの通気性Ｐ４と、第二内袋体４１の近傍部４１ａの通気性Ｐ５との相互の関係は、「通気性Ｐ５＞通気性Ｐ４＞通気性Ｐ２＞通気性Ｐ１、かつ通気性Ｐ５＞通気性Ｐ３＞通気性Ｐ２」として構成される。したがって、袋体部２８Ａは、外側から内側に向かうにつれて通気性が順次に高くなるとともに、口枠部２７から遠い側よりも近い側の方が通気性が高くなる。
【００４５】
また、袋状の通気性素材を、例えば４重以上に重ねた袋体部２８Ａは、最も外側に配置された最外袋体３８と、最外袋体３８の内側に配置された複数の内袋体とから構成される。任意の２つの内袋体に着目すると、相互の関係は図４に示された第一内袋体４０と、第二内袋体４１との関係に一般化できる。
【００４６】
それぞれの内袋体４０、４１は、口枠部２７に近い近傍部４０ａ、４１ａと、口枠部２７から遠い遠方部４０ｂ、４１ｂとが互いに異なる通気性を有する。
【００４７】
内側に配置された内袋体４０の遠方部４０ｂの通気性は、外側に配置された内袋体４１の遠方部４１ｂの通気性と比べて、より大きい通気性を有する。なお、最外袋体３８のすぐ内側に配置された内袋体４１の遠方部４１ｂの通気性は、最外袋体３８の通気性と比べて、より大きい通気性を有する。
【００４８】
内側に配置された内袋体４０の近傍部４０ａの通気性は、同じ内袋体４０を構成する遠方部４０ｂの通気性と比べて、より大きい通気性を有し、かつ外側に配置された内袋体４１の近傍部４１ａの通気性と比べて、より大きい通気性を有する。なお、最外袋体３８のすぐ内側に配置された内袋体４１の近傍部４１ａの通気性は、同じ内袋体４１を構成する遠方部４１ｂの通気性と比べて、より大きい通気性を有する。
【００４９】
遠方部４０ｂ、４１ｂを構成する通気性素材は、例えばパルプと合成繊維とで形成された不織布である。近傍部４０ａ、４０ｂを構成する通気性素材は、例えば網状の織布である。
【００５０】
次に、本実施形態に係る電気掃除機１の掃除動作を説明する。
【００５１】
電気掃除機１の使用者は、まず、掃除機本体２の接続口２ａに集塵ホース３を接続する。ついで、手元操作管４に延長管７を接続する。さらに、延長管７に吸込口体８を接続する。
【００５２】
次に、電気掃除機１の使用者は、掃除機本体２から電源コード１４を引き出して、電源プラグ１５を商用電源を供給するコンセント（図示省略）に接続する。
【００５３】
電気掃除機１の使用者は、握部５を把持して、吸込口体８を略水平な床面などの被掃除面に配置する。
【００５４】
次に、電気掃除機１の使用者は、握部５を把持して操作部６を操作する。そうすると、操作部６で設定された動作モードに応じて電動送風機１３が作動する。
【００５５】
次いで、電気掃除機１の使用者は、握部５を把持して駆動力を加える。そうすると、吸込口体８は被掃除面上を前後に走行する。被掃除面の塵埃が空気とともに吸込口体８に吸い込まれる。
【００５６】
吸込口体８に吸い込まれた含塵空気は、延長管７と手元操作管４と集塵ホース３とを順次に通過した後、掃除機本体２の接続口２ａに案内される。次に、含塵空気は、掃除機本体２の内部に吸い込まれる。掃除機本体２の内部では、接続管３２に挿入された集塵ホース３の連結管部３５から集塵袋１１の口枠部２７の開口２７ａを通って、袋体部２８に案内される。
【００５７】
含塵空気に含まれた塵埃は、集塵室１０に収容された集塵袋１１の袋体部２８で捕集される。
【００５８】
塵埃が分離された空気は、電動送風機１３に吸気されて排気風となり、本体排気口から掃除機本体２の外部に排気される。
【００５９】
電気掃除機１の使用者は、掃除が進み、袋体部２８に十分な量の塵埃が溜まると、集塵室１０から集塵袋１１を取り出し廃棄する。
【００６０】
図５から図７は、本発明に係る集塵袋が集塵を捕集する様子を概略的に示した断面図である。図５は、集塵袋１１の使用初期段階を示し、図６は、集塵袋１１の使用中期段階を示し、図７は、集塵袋１１の使用後期段階を示した図である。
【００６１】
図５に示すように、集塵袋１１の使用初期段階では、袋体部２８の内部には、集塵ホース３の連結管部３５から袋体部２８の後方に向かって直線的に電動送風機１３に吸い込まれる空気の流れＦａや、袋体部２８の側方に向かった後に集塵室１０の側壁部を沿って電動送風機１３に吸い込まれる空気の流れＦｂや、口枠部２７にほぼ沿って袋体部２８の側方に向かった後に集塵室１０の側壁部を沿って電動送風機１３に吸い込まれる空気の流れＦｃなどの空気流が発生する。
【００６２】
この段階では、袋体部２８に案内された塵埃のうち、例えば、砂粒や紙切れ、寄り集まった糸くずなどの慣性力の大きい塵埃は、空気の流れＦａによって集塵袋１１の後方に案内され、内袋体３９の遠方部３９ｂに捕集される（図５中、塵埃Ｄａ）。他方、袋体部２８に案内された塵埃のうち、細かい糸くずなどの慣性力の小さい塵埃の一部は、空気の流れＦｃによって内袋体３９の近傍部３９ａに案内され、網状の近傍部３９ａを通過して最外袋体３８と内袋体３９との隙間Ｓに捕集される（図５中、塵埃Ｄｂ）。
【００６３】
最外袋体３８と内袋体３９との隙間Ｓに捕集された塵埃Ｄｂは、細かい糸くずなどがより集まった多孔質状の堆積層を形成する。この堆積層は、内袋体３９の遠方部３９ｂを通過した細塵を捕らえ、最外袋体３８の内面の目詰りを抑制するフィルタの役割を果たす。
【００６４】
図６に示すように、集塵袋１１の使用中期段階では、内袋体３９の遠方部３９ｂに捕集される塵埃Ｄａは、堆積量が増し、空気の流れＦａの流路抵抗が増加する。そうすると、空気の流れＦｂ、Ｆｃの流量が増し、特に、空気の流れＦｃの流量が増すことで最外袋体３８と内袋体３９との隙間Ｓに捕集された塵埃Ｄｂの堆積量が増す。
【００６５】
塵埃Ｄｂの堆積量が増すと、隙間Ｓに形成された堆積層は、さらに、内袋体３９の遠方部３９ｂを通過した細塵を大量に捕らえ、最外袋体３８の内面の目詰りを抑制し続ける。
【００６６】
図７に示すように、集塵袋１１の使用後期段階では、内袋体３９の遠方部３９ｂは、塵埃Ｄａでほぼ満たされ、空気の流れＦａ、Ｆｂの流路抵抗が増加する。そうすると、空気の流れＦｃの流量が増し、最外袋体３８と内袋体３９との隙間Ｓに捕集された塵埃Ｄｂの堆積量が増す。
【００６７】
本実施形態に係る集塵袋１１は、使用初期段階から使用後期段階に至るまで、最外袋体３８と内袋体３９との隙間Ｓに捕集された塵埃Ｄｂの堆積層によって、最外袋体３８の内面の目詰りが抑制される。したがって、袋体部２８は、内袋体３９に塵埃が満杯に堆積されるまで、十分な通気性が確保される。これによって、電気掃除機１は、集塵袋１１に蓄積された塵埃の量にかかわらず、吸引力を維持し続けることができる。
【００６８】
図８は、本発明に係る集塵袋の他の例が集塵を捕集する様子を概略的に示した断面図である。図８は、集塵袋１１Ａの使用後期段階を示した図である。
【００６９】
なお、袋状の通気性素材を、例えば３重以上に重ねて形成された袋体部２８Ａや袋体部２８Ｂについても、最外袋体３８と、内袋体３９との間の隙間や、内袋体３９どうしの間の隙間によって、集塵袋１１と同様に、最も内側に配置された内袋体３９に塵埃が満杯に堆積されるまで、十分な通気性が確保される。これによって、電気掃除機１は、集塵袋１１Ａに蓄積された塵埃の量にかかわらず、吸引力を維持し続けることができる。
【００７０】
したがって、本実施形態に係る電気掃除機１、および集塵袋１１によれば、電気掃除機１の集塵性能の低下を抑制できるとともに、メンテナンス性を向上できる集塵袋１１、および電気掃除機１を提供できる。
【００７１】
なお、本発明に係る電気掃除機１は、キャニスタ型の電気掃除機１に限らず、アップライト型、スティック型、あるいはハンディ型などの電気掃除機１であってもよい。
【図面の簡単な説明】
【００７２】
【図１】本発明に係る電気掃除機の外観を示した斜視図。
【図２】本発明に係る電気掃除機の掃除機本体を示した縦断面。
【図３】本発明に係る集塵袋を概略的に示した断面図。
【図４】本発明に係る集塵袋の他の例を概略的に示した断面図。
【図５】本発明に係る集塵袋が集塵を捕集する様子を概略的に示した断面図。
【図６】本発明に係る集塵袋が集塵を捕集する様子を概略的に示した断面図。
【図７】本発明に係る集塵袋が集塵を捕集する様子を概略的に示した断面図。
【図８】本発明に係る集塵袋他の例が集塵を捕集する様子を概略的に示した断面図。
【符号の説明】
【００７３】
１  電気掃除機
２  掃除機本体
２ａ  接続口
３  集塵ホース
４  手元操作管
５  握部
６  操作部
７  延長管
８  吸込口体
１０  集塵室
１１、１１Ａ  集塵袋
１３  電動送風機
１４  電源コード
１５  電源プラグ
１７  前輪
１８  後輪
１９  回動軸
２０  支持アーム
２２  第二フィルタ装置
２３  仕切板
２４  蓋ケース
２７ａ  開口
２７  口枠部
２８、２８Ａ  袋体部
３０  前壁
３１  クランプ
３２  接続管
３５  連結管部
３８  最外袋体
３９  内袋体
３９ａ  近傍部
３９ｂ  遠方部
４０  第一内袋体
４０ａ  近傍部
４０ｂ  遠方部
４１  第二内袋体
４１ａ  近傍部
４１ｂ  遠方部
【図１】
2010082136.tif 000003
【図２】
2010082136.tif 000004
【図３】
2010082136.tif 000005
【図４】
2010082136.tif 000006
【図５】
2010082136.tif 000007
【図６】
2010082136.tif 000008
【図７】
2010082136.tif 000009
【図８】
2010082136.tif 000010